(57)【特許請求の範囲】
【請求項１】
上面に化粧料収容凹部が形成された容器本体と、この容器本体の前端部にその前面および上面に開口する状態で形成された前側凹部と、この前側凹部の奥面上部に形成された係合部と、上記前側凹部の奥面下部から上記前側凹部の底面との間に所定の隙間をあけて突設された平板部と、それ自体の前端部が上記容器本体の係合部に着脱自在に係合され上記容器本体の後端部にヒンジ連結される蓋体と、上記前側凹部に前後方向に摺動自在に配設され奥側への摺動時に上記蓋体を押し上げて上記係合を解除し開蓋する操作片と、この操作片の上部から奥側に突設され上記摺動時に蓋体を押し上げる上板部と、上記操作片の下端部から奥側に突設され上記隙間に前後方向に摺動自在に挿入される下板部とを備えた化粧料容器であって、上記平板部の左右両側縁から相対向状に、これら各側縁を横辺とする側面視矩形状の補強板が立設され、これら両補強板の奥側の縦辺が、上記両側縁に対応する上記前側凹部の奥面の部分に接合され、これら両補強板の上面が、上記操作片の上板部の下面に近接しもしくは当接しているとともに、上記前側凹部の奥面の、上記平板部が突設された根元の真下部分に、左右方向に延びる溝部が形成され、上記操作片の下板部の、この溝部に対向する奥端面に、上記操作片の奥側への摺動時に上記溝部内に進入する左右一対の突部が延設されていることを特徴とする化粧料容器。
【請求項２】
上記前側凹部の底面の左右両側に、前側凹部の奥端から前後方向中間部まで延びる左右一対の矩形状のガイド溝部が形成されているとともに、上記操作片の左右両端の下面に、上記両ガイド溝部に前後方向に摺動自在に係合するガイド凸部が突設されている請求項１記載の化粧料容器。
【発明の詳細な説明】
【技術分野】
【０００１】
本発明は、コンパクト等の化粧料容器に関するものである。
【背景技術】
【０００２】
従来から、コンパクト等の化粧料容器には、容器本体と、それ自体の後端部が上記容器本体の後端部に回動自在に連結される蓋体と、上記容器本体の前端部に進退自在に固定されるフックピースとを備え、開蓋時にフックピースを前側に押し込み、この押し込みにより、容器本体の前端部と蓋体の前端部との係合を解除して開蓋するようにしたものが多く出回っている。
【０００３】
このような化粧料容器として、例えば、図１６に示すようなコンパクト容器が提案されている。このコンパクト容器は、前壁部に凹部３１ａが形成された容器本体３１と、この容器本体３１に装着される中仕切３２と、上記容器本体３１の後壁部にヒンジ連結される蓋体３３と、上記凹部３１ａに前後方向に摺動自在に取り付けられる押釦３４とを備えており、上記凹部３１ａの奥面上部から、上記蓋体３３の前端部に設けたフック３３ａに着脱自在に係合するフック３５が突設され、奥面下部から、上記押釦３４の抜けを防止する突部３６が、上記凹部３１ａの底面との間に所定の隙間を設けた状態で突設され、上記凹部３１ａの底面の左右両側に、上記押釦３４を前後方向に案内するスライド溝３７（右側のスライド溝３７は隠れて見えない）が形成されている。
【０００４】
上記押釦３４は、操作板部３８と、左右一対の側板部３９（左側の側板部３９は隠れて見えない）と、天板部４０と、上記隙間に前後方向に摺動自在に挿入される底板部４１とを主体とした後面開放状の箱型に形成されており、上記底板部４１の下面の左右両側から突設される左右一対の突起４１ａ（左側の突起４１ａは隠れて見えない）が、スライド溝３７に前後方向に摺動自在に嵌合している。そして、開蓋時に押釦３４を奥側に押し込むと、この押し込みに伴い押釦３４の天板部４０が奥側に移動して蓋体３３を押し上げ、上記係合を外すようにしている（例えば、特許文献１参照）。
【特許文献１】実開昭６４−１６０７号公報
【発明の開示】
【発明が解決しようとする課題】
【０００５】
しかしながら、上記のコンパクト容器では、開蓋時に押釦３４を押し込みやすくするため、押釦３４の底板部４１の厚みが上記（凹部３１ａの底面と突部３６間の）隙間の高さより低く形成されているうえ、押釦３４の天板部４０をガイドする部材が凹部３１ａに設けられていない。したがって、輸送時等に上記のコンパクト容器が振動等すると、この振動等が容器本体３１を介して押釦３４に伝達され、この押釦３４がその下端部を支点として前後に揺動し、がたつき音が発生するうえ、このがたつきにより、押釦３４の底板部４１の上面先端が突部３６の下面に頻繁に当たって押釦３４の底板部４１や突部３６が早期に損傷する。しかも、上記突部３６は、凹部３１ａの奥面下部から突設された平板体で構成されているだけであるため、強度的に劣っており、上記がたつきによりさらに破損しやすくなる。
【０００６】
本発明は、このような事情に鑑みなされたもので、輸送時等における押釦等の操作片のがたつきをなくし、しかも、突部等の平板部が強度的に優れている化粧料容器の提供をその目的とする。
【課題を解決するための手段】
【０００７】
上記の目的を達成するため、本発明の化粧料容器は、上面に化粧料収容凹部が形成された容器本体と、この容器本体の前端部にその前面および上面に開口する状態で形成された前側凹部と、この前側凹部の奥面上部に形成された係合部と、上記前側凹部の奥面下部から上記前側凹部の底面との間に所定の隙間をあけて突設された平板部と、それ自体の前端部が上記容器本体の係合部に着脱自在に係合され上記容器本体の後端部にヒンジ連結される蓋体と、上記前側凹部に前後方向に摺動自在に配設され奥側への摺動時に上記蓋体を押し上げて上記係合を解除し開蓋する操作片と、この操作片の上部から奥側に突設され上記摺動時に蓋体を押し上げる上板部と、上記操作片の下端部から奥側に突設され上記隙間に前後方向に摺動自在に挿入される下板部とを備えた化粧料容器であって、上記平板部の左右両側縁から相対向状に、これら各側縁を横辺とする側面視矩形状の補強板が立設され、これら両補強板の奥側の縦辺が、上記両側縁に対応する上記前側凹部の奥面の部分に接合され、これら両補強板の上面が、上記操作片の上板部の下面に近接しもしくは当接しているとともに、上記前側凹部の奥面の、上記平板部が突設された根元の真下部分に、左右方向に延びる溝部が形成され、上記操作片の下板部の、この溝部に対向する奥端面に、上記操作片の奥側への摺動時に上記溝部内に進入する左右一対の突部が延設されているという構成をとる。
【発明の効果】
【０００８】
すなわち、本発明の化粧料容器は、その容器本体の前端部に形成され操作片が前後方向に摺動自在に配設された前側凹部の奥面下部から平板部が突設され、この平板部と前側凹部の底面との間に形成される隙間に上記操作片の下板部が挿入されている。また、上記平板部の左右両側縁から相対向状に側面視矩形状の補強板が立設され、これら両補強板の上面が、上記操作片の上板部の下面に近接しもしくは当接している。このため、本発明の化粧料容器を輸送等する際に、その振動により容器本体が振動し、この振動が操作片に伝達しても、上記両補強板の上面が操作片の上板部の下面に近接しもしくは当接していることから、上記操作片がその下端部やその近傍部分を中心として前後に殆どもしくは全く揺動することがない。したがって、上記輸送時等にがたつき音が発生したり、操作片の下板部の上面先端が平板部の下面に当たったりすることがなく、長期間にわたって操作片の下板部や平板部が損傷することがない。しかも、上記平板部の左右両側縁から相対向状に両補強板が立設されているとともに、これら両補強板の奥側の縦辺が上記前側凹部の奥面に接合されているため、上記平板部が両補強板で補強されて強度的に強くなっており、上記輸送時等に操作片の下板部や平板部が一層破損しにくくなる。
【０００９】
特に、本発明の化粧料容器においては、上記前側凹部の奥面の、上記平板部が突設された根元の真下部分に、左右方向に延びる溝部が形成され、この溝部に対向する上記操作片の下板部奥端面に、上記操作片の奥側への摺動時に上記溝部内に進入する左右一対の突部が延設されているため、閉蓋時に操作片を奥側に押し込んだ際に、上記溝部に対向する上記操作片の左右一対の突部が上記前側凹部の奥面の、平板部の真下部分に進入し、その突部と突部の間の中央部分が奥面に当たらないため、上記押し込み時における、平板部の根元部分（平板部と前側凹部の奥面との接合部分）への衝撃が小さくなり、耐久性に優れる。
【発明を実施するための最良の形態】
【００１０】
つぎに、本発明を実施するための最良の形態について説明する。ただし、本発明は、この実施の形態に限られるものではない。
【００１１】
図１は本発明の化粧料容器の一実施の形態を示している。図において、１は上面に化粧料収容凹部１ａが形成された容器本体で、２はそれ自体の後壁部（後端部）２ａが上記容器本体部１の後壁部（後端部）１ｂに連結ピン３を介して回動自在に連結された蓋体で、４は上記容器本体１の前壁部（前端部）１ｃの前側凹部５に収容されたフックピース（操作片）で、６は上記蓋体２の裏面に接着，固定された鏡である。図において、７は上記化粧料収容凹部１ａを仕切る仕切壁で、その前側にパフ等の化粧用具（図示せず）が収容され、その後側に、化粧料８ａが充填された化粧皿８が収容されている。９は上記容器本体１の底壁部に形成された貫通穴である。
【００１２】
上記容器本体１は、図２〜図４に示すように、平面視略四角形状の皿状体からなっており、その前壁部１ｃの左右方向中央部を奥側に凹入形成することにより、上記左右方向中央部に前面および上面が開口する前側凹部５が形成されている。この前側凹部５には、図５〜図７に示すように、その奥面上部に、上記蓋体２の係合爪２ｂ（図１参照）に着脱自在に係合する係合突部１１が突設されており、その下側に、略Ｕ字状に形成されたＵ字状突部１２が突設されている。このＵ字状突部１２は、前側凹部５の奥面下部の左右方向中央部から前側凹部５の底面との間に所定の隙間をあけて突設される平板部１３と、この平板部１３の左右両側縁部から相対向状に立設される左右一対の補強板部１４とからなっており、上記隙間に、上記フックピース４の下板部２０が前後方向に摺動自在に挿入されている。
【００１３】
また、上記両補強板部１４はそれぞれ、上記平板部１３の各側縁部を横辺１４ａとする側面視矩形状に形成されており、上記両補強板部１４の前後方向全幅にわたって設けられている（すなわち、上記両補強板部１４の奥側の縦辺１４ｂが、上記各側縁に対応する上記前側凹部５の奥面の部分に接合され、手前側の縦辺１４ｂが上記平板部１の前端縁から上方に延びている）（図２参照）。
【００１４】
また、上記前側凹部５の奥面には、その平板部１３の真下部分（上記隙間に相対向する部分）に、上記フックピース４の両進入突部２３を挿入しうる奥側溝部１５が形成されている。また、上記前側凹部５の底面には、その左右両側（上記Ｕ字状突部１２の左右両側空間に対応する部分）に、前側凹部５の奥端から前後方向中間部まで延びるようにして、左右一対の矩形状のガイド溝部１６（図８参照）が形成されており、上記フックピース４のガイド突部２２（図９参照）に前後方向に摺動自在に係合している。また、上記前側凹部５の左右両側面には、所定の高さ位置に左右一対の突部１７が相対向状に突設されており、上記フックピース４の両溝２１ａに前後方向に摺動自在に係合している。
【００１５】
上記フックピース４は、上記前側凹部５に前後方向に進退自在を固定されており、図９〜図１４に示すように、後面が開口する略長方形状箱形に形成されている。また、上記フックピース４は、前板部１８と、この前板部１８の上下両側縁部から奥側に延びる上板部１９，下板部２０と、上記前板部１８の左右両側縁部から奥側に延びる左右両側板２１とからなっており、上記下板部２０の左右両側の下面の、上記前側凹部５の両ガイド溝部１６に対応する部分から、上記両ガイド溝部１６に前後方向に摺動自在に係合するガイド突部２２が突設されている（図１５参照）。
【００１６】
また、上記下板部２０の奥端面には、その左右両側部分から、フックピース４の押し込みの際に上記前側凹部５の奥側溝部１５内に進入する左右一対の進入突部２３が突設されている。また、上記左右両板部２１の外側面には、その奥端から前後方向中間部まで延びるようにして、上記前側凹部５の両突部１７に前後方向に摺動自在に係合する左右一対の溝２１ａが形成されている。
【００１７】
また、上記上板部１９は、その左右方向中央部が凹部１９ａに形成されており、この凹部１９ａの奥端面の上側角部が湾曲面１９ｂに形成されている。この湾曲面１９ｂは、閉蓋状態では、上記蓋体２の係合爪２ｂの裏面に形成された傾斜面２ｃに当接しており（図１参照）、開蓋時にフックピース４を奥側に押し込むと、これに伴って上板部１９が前進し、上記湾曲面１９ｂで係合爪２ｂの傾斜面２ｃを押し上げて係合爪２ｂを上昇させ、上記係合突部１１と係合爪２ｂとの係合を外して開蓋する作用をする（図１５参照）。
【００１８】
また、上記上板部１９の左右両側部の下面は、Ｕ字状突部１２の両補強板部１４の上面に近接している。これにより、フックピース４をその前板部１８の下端部やその近傍部分を中心として前後に揺動させようとしても、上板部１９の左右両側部の下面先端が上記両補強板部１４の上面に当たって揺動が阻止されるため、フックピース４を揺動させることができない。
【００１９】
上記蓋体２には、その前壁部（前端部）の左右方向中央部から係合爪２ｂが内向き下り傾斜状に突設されており、係合爪２ｂの裏面に傾斜面２ｃが形成されている。また、上記蓋体２の後壁部２ａから、上記容器本体１の後壁部１ｂの左右方向中央部に形成された後側凹部２５に回動自在に収容される連結部２６が垂下しており、この連結部２６に、上記連結ピン３を挿通，固定する貫通穴２６ａが穿設されている（図１参照）。
【００２０】
上記の構成において、開蓋する場合には、フックピース４の前板部１８を奥側に押し込むことを行う（図１５の矢印Ａ参照）。この押し込みにより、フックピース４が前進して上板部１９で上記（係合突部１１，係合爪２ｂの）係合を外し、蓋体２が後方に少し回動して開蓋する（図１５の矢印Ｂ参照）。そののち、手指で蓋体２を後方に大きく回動させると、蓋体２が大きく開蓋する。このとき、上記下板部２０の奥端面の左右両側部分は前側凹部５の奥面に当たり、中央部分の両進入突部２３は奥側溝部１５の奥面に当たる。
【００２１】
上記のように、この実施の形態では、上記前側凹部５の奥面下部から突設される平板部１３の左右両側縁から相対向状に側面視矩形状の補強板１４が立設され、これら両補強板１４の上面が、フックピース４の上板部１９の下面に近接しているため、上記化粧料容器を輸送等する際に、その振動により容器本体１が振動し、この振動がフックピース４に伝達しても、フックピース４がその下端部やその近傍部分を中心として前後に殆ど揺動しない。したがって、上記化粧料容器の輸送時等にがたつき音が発生したり、フックピース４の下板部２０の上面先端が平板部１３の下面に当たったりすることがなく、長期間にわたってフックピース４の下板部２０や平板部１３が損傷することがない。しかも、上記平板部１３の左右両側縁から左右一対の補強板１４が立設され、これら両補強板１４の奥側の縦辺１４ｂが上記前側凹部５の奥面に接合されているため、上記平板部１３が両補強板１４で補強されて強度的に強くなっており、上記輸送時等にフックピース４の下板部２０や平板部１３が一層破損しにくくなる。さらに、閉蓋時にフックピース４を奥側に押し込んだ際に、フックピース４の下板部２０の奥端面の中央部分が上記前側凹部５の奥面に当たらないため、上記押し込み時における、平板部１３の根元部分への衝撃が小さく、耐久性に優れる。しかも、上記両補強板１４で前側凹部５の奥面上部の係合突部１１を保護することができる。そのうえ、このような優れた効果を奏しながらも、平板部１３と係合突部１１との間に、従来どおりの広い空間があるため、係合突部１１に着脱自在に係合する蓋体２の係合爪２ｂの形状設計の自由度が大きい。
【００２２】
なお、上記実施の形態では、フックピース４の上板部１９の左右両側部の下面がＵ字状突部１２の両補強板部１４の上面に近接しているが、これに限定するものではなく、上記上板部１９の左右両側部の下面が上記両補強板部１４の上面に摺動自在に当接していてもよい。
【００２３】
また、上記実施の形態において、フックピース４を手前側に弾性付勢するばね材を、フックピース４とは別的に設けて容器本体１の前側凹部５に配設してもよいし、フックピース４に一体的に設けてもよい。
【図面の簡単な説明】
【００２４】
【図１】本発明の化粧料容器の一実施の形態を示す断面図である。
【図２】容器本体の要部の断面図である。
【図３】上記容器本体の平面図である。
【図４】上記容器本体の正面図である。
【図５】上記容器本体の要部の拡大平面図である。
【図６】上記容器本体の要部の拡大正面図である。
【図７】上記容器本体の要部の拡大斜視図である。
【図８】上記容器本体の他の要部の断面図である。
【図９】フックピースの側面図である。
【図１０】上記フックピースの断面図である。
【図１１】上記フックピースの平面図である。
【図１２】上記フックピースの底面図である。
【図１３】上記フックピースの正面図である。
【図１４】上記フックピースの背面図である。
【図１５】上記フックピースの作用を示す説明図である。
【図１６】従来例を示す分解斜視図である。
【符号の説明】
【００２５】
１  容器本体
１ｃ  前壁部
２  蓋体
４  フックピース
５  前側凹部
１３  平板部
１４  補強板部
１４ａ  横辺
１４ｂ  縦辺
１９  上板部
【図１】
0005215636.tif 000002
【図２】
0005215636.tif 000003
【図３】
0005215636.tif 000004
【図４】
0005215636.tif 000005
【図５】
0005215636.tif 000006
【図６】
0005215636.tif 000007
【図７】
0005215636.tif 000008
【図８】
0005215636.tif 000009
【図９】
0005215636.tif 000010
【図１０】
0005215636.tif 000011
【図１１】
0005215636.tif 000012
【図１２】
0005215636.tif 000013
【図１３】
0005215636.tif 000014
【図１４】
0005215636.tif 000015
【図１５】
0005215636.tif 000016
【図１６】
0005215636.tif 000017